(57)【要約】【課題】  奥行方向に幅を取らず、しかも、アコースティックピアノと同様の踏込感を得ることができるペダル装置、及び、このペダル装置を備えた電子鍵盤楽器を提供する  【解決手段】  各ペダル装置４０は、踏込部４２ａと、この踏込部４２ａを一端に備え、垂直方向に沿った長さが踏込部４２ａの奥行方向に沿った長さよりも長い長尺状に形成された支持部４２ｂとを備え、これらがＬ字状に形成されている。そしてこのペダル４２は、踏込部４２ａが演奏者側から見て支持部４２ｂの他端側を支点として揺動するよう、固定具４３によって底面板３５に固定されている。このペダル装置４０では、踏込部４２ａが、演奏者が踏み込みに必要な長さに形成されていればよいので、奥行方向に幅を取らない。また、支持部４２ｂは踏込部４２ａより長く形成され、しかも垂直方向に長く形成でき、アコースティックピアノと同様の踏込感を得ることができるのである。【選択図】  図３
2005084327.tif 000002
【特許請求の範囲】
【請求項１】
演奏用のペダル装置であって、
踏込部と、
演奏者から見て手前側から奥側に向かう奥行方向に垂直な垂直方向に沿った長さが前記踏込部の前記奥行方向に沿った長さよりも長い長尺状に形成され、前記踏込部を一端備える支持部と
を備えるペダルを、
前記踏込部が演奏者側から見て前記支持部の他端側を支点として揺動するよう、固定したことを特徴とするペダル装置。
【請求項２】
前記踏込部は、前記奥行方向に沿って長尺状に形成されていることを特徴とする請求項１記載のペダル装置。
【請求項３】
前記踏込部と前記支持部とが略Ｌ字状に形成されている前記ペダルを備えることを特徴とする請求項１，２いずれか記載のペダル装置。
【請求項４】
請求項１〜３いずれか記載のペダル装置を備えることを特徴とする電子鍵盤楽器。
【発明の詳細な説明】
【技術分野】
【０００１】
本発明は、演奏用ペダル及び該ペダルを備えた電子鍵盤楽器に関する。
【背景技術】
【０００２】
従来の電子ピアノのペダル装置は、演奏者から見て手前側から奥側に向かう奥行方向に沿って平行に配置された長尺な複数のペダルを備え、演奏者から見て奥側の端部を支点に、手前側の端部が上下方向に揺動可能に固定されている。（特許文献１）
【特許文献１】実開昭６０−１３５９４号公報
【発明の開示】
【発明が解決しようとする課題】
【０００３】
しかし、近年の電子ピアノ１００は小型化が進み、特に、鍵盤等を支え、ペダルが下部に設けられた部分１００ａの奥行方向の幅が薄くなる傾向にある。そのため、近年の電子ピアノ１００では短いペダル１０１を用いているが、短いペダル１０１では、支点１０２とペダル１０１を踏み込む踏込部１０３との距離が短いため、アコースティックピアノのような踏込感を得ることができなかった。また、逆に、長いペダルを用いると、電子ピアノの奥行方向の幅を厚めに構成せねばならないので、電子ピアノが大型化してしまうという問題があった。
【０００４】
そこで本発明では、上述した問題点を解決し、奥行方向に幅を取らず、しかも、アコースティックピアノと同様の踏込感を得ることができるペダル装置、及び、このペダル装置を備えた電子鍵盤楽器を提供することを目的とする。
【課題を解決するための手段】
【０００５】
上述した問題点を解決するためになされた請求項１に記載の発明は、演奏用のペダル装置であって、踏込部と、演奏者から見て手前側から奥側に向かう奥行方向に垂直な垂直方向に沿った長さが前記踏込部の前記奥行方向に沿った長さよりも長い長尺状に形成され、前記踏込部を一端備える支持部とを備えるペダルを、前記踏込部が演奏者側から見て前記支持部の他端側を支点として揺動するよう、固定したことを特徴とする。
【０００６】
このように構成された本発明のペダル装置では、演奏者が踏み込みに必要な長さに踏込部が形成されていればよいので、奥行方向に幅を取らない。また、支持部は踏込部より長く形成され、しかもこの長い支持部が、演奏者側からみて他端側を支点に一端側である踏込部が揺動するので、アコースティックピアノと同様の踏込感を得ることができるのである。
【０００７】
尚、請求項２に記載したように、踏込部は、奥行方向に沿って長尺状に形成されていることが好ましい。このように形成されていると、ペダルを操作しやすいからである。また請求項３に記載したように、ペダルは、踏込部と支持部とが略Ｌ字状に形成されていることが好ましい。このように構成すれば単純な形状なので製造が簡単である。さらに、請求項４に記載したように、電子鍵盤楽器が請求項１〜３いずれか記載のペダル装置を備えていれば、奥行方向に薄く構成された電子鍵盤楽器であっても、アコースティックピアノと同様の踏込感を得ることが可能な電子鍵盤楽器を得ることができる。
【発明を実施するための最良の形態】
【０００８】
以下、本発明を実施するための最良の形態について図面を用いて説明する。
ここで図１は、本実施形態の電子ピアノの正面図、図２はその背面図である。
本実施形態の電子ピアノ１は、ピアノ本体２と、ピアノ本体２を支持するとともにピアノ本体２の下半部を構成する脚部３とによって構成されている。
【０００９】
ピアノ本体２は、左右一対の側板４の上半部に支持され、両側板４の間から前方に突出するように設けられた棚板５と、各側板４の内側から前方に張り出し、棚板５の両側を挟むように設けられた左右一対の腕木６とによって外装が構成されており、棚板５上に鍵盤部７が配置されている。そしてこの鍵盤部７には、鍵盤９と、鍵盤９の後方に配置されたコントロールパネル１０とを備えている。
【００１０】
また、側板４の後端部には、電子ピアノ１の裏面側全体を覆うように裏板８が取り付けられている（図２参照）。この裏板８とコントロールパネル１０との間には、両者の間の空間を覆うように上屋根１２が取り付けられており、ピアノ本体２内部に配置された電子基板などの内部装置（図示せず）を保護するようになっている。また、上屋根１２の上面前部には、譜面台１３が折たたみ自在に設けられている。
【００１１】
また、コントロールパネル１０の上面と上屋根１２の前端との間には、スリット１４が形成されており、このスリット１４を介して、図示しないカバーが出し入れされるようになっている。カバーは、両腕木６に沿って前後方向にスライドされ、鍵盤部７の上方空間を開閉し、鍵盤部７を覆ってこれを保護する。
【００１２】
脚部３は、両側板４の下半部と、各側板４の下端に取り付けられたベース３１とによって構成されている。脚部３の前部は、前板３３で覆われ、また、前板３３と裏板８の下端は、底面板３５（図３参照）が取り付けられており、この前板３３と裏板８と底面板３５で囲まれた空間には、スピーカなどの音響装置（図示せず）が内蔵されている。
【００１３】
そしてこの脚部３の下部中央であって、前板３３と裏板８との間には、後述する３つのペダル装置４０（図３参照）が設けられ、前板３３の下端には、ペダル装置４０に備えられたペダル４２の踏込部４２ａの一部が外部に位置するよう、複数のペダル設置穴３４が設けられている。
【００１４】
次に、本実施形態の電子ピアノ１に備えられたペダル装置４０について説明する。
ここで、図３はペダル装置の平面図である。
図３に示すように、本実施形態の電子ピアノ１は、３つのペダル装置４０を備えており、各ペダル装置４０は、図３の左から右に向かって、ダンパーペダル、ソステヌートペダル、ソフトペダルの各ペダルを備えるものである。
【００１５】
各ペダル装置４０は、演奏者側の手前側から奥側に向かう奥行方向に長尺状に形成された踏込部４２ａと、この踏込部４２ａを一端に備え、奥行方向に垂直な垂直方向に沿った長さが踏込部４２ａの奥行方向に沿った長さよりも長い長尺状に形成された支持部４２ｂとを備え、踏込部４２ａと支持部４２ｂとがＬ字状に一体に形成されている。
【００１６】
そしてこのペダル４２は、踏込部４２ａが演奏者側から見て支持部４２ｂの他端側を支点として揺動するよう、固定具４３によって底面板３５に固定されている。固定具４３は、奥行方向に沿って設けられた軸部４３ａと、土台部４４ｂとからなり、土台部４４ｂは、軸部４３ａの両端部を固定し、軸部４３ａは、ペダル４２の支持部４２ｂの他端側に設けられた図示しない挿入孔に通され、ペダル４２を揺動可能に支持している。
【００１７】
このように構成された本実施形態のペダル装置４０では、踏込部４２ａが、演奏者が踏み込みに必要な長さに形成されていればよいので、奥行方向に幅を取らない。また、支持部４２ｂは踏込部４２ａより長く形成され、しかもこの長い支持部４２ｂが、演奏者側からみて、一端側である踏込部が他端側を支点に揺動するので、アコースティックピアノと同様の踏込感を得ることができるのである。
【００１８】
従って、本実施形態の電子ピアノ１は、奥行方向に薄く構成することができ、しかも、アコースティックピアノと同様の踏込感を得ることができる。
尚、本発明の実施の形態は、上記実施形態に何ら限定されるものではなく、本発明の技術的範囲に属する限り種々の形態を採り得ることはいうまでもない。
【００１９】
例えば、本実施形態では、ペダル４２をＬ字状に形成したが、図４（ａ）に示すように、曲線状に形成してもよいことはもちろんである。また図４（ｂ）に示すように、Ｔ字状に形成してもよいことはもちろんである。
【００２０】
また、本実施形態では、電子ピアノについて説明したが、ペダル装置４０は、電子オルガンに備えられていてもよいし、ペダル装置４０だけ単独で用いる用途があれば、単独で用いてもよい。
【図面の簡単な説明】
【００２１】
【図１】本実施形態の電子ピアノ１の正面図である。
【図２】本実施形態の電子ピアノ１の背面図である。
【図３】本実施形態の電子ピアノ１に備えられたペダル装置
【図４】本実施形態の電子ピアノ１で用いられるペダルの変形例の平面図である。
【図５】従来の電子ピアノの概略的な側面図である。
【符号の説明】
【００２２】
１…電子ピアノ、２…ピアノ本体、３…脚部、４…側板、５…棚板、６…腕木、７…鍵盤部、８…裏板、９…鍵盤、１０…コントロールパネル、１２…上屋根、１３…譜面台、１４…スリット、３１…ベース、３３…前板、３４…ペダル設置穴、３５…底面板、４０…ペダル装置、４２…ペダル、４２ａ…踏込部、４２ｂ…支持部、４３…固定具、４３ａ…軸部、４４ｂ…土台部、
【図１】
2005084327.tif 000003
【図２】
2005084327.tif 000004
【図３】
2005084327.tif 000005
【図４】
2005084327.tif 000006
【図５】
2005084327.tif 000007